(57)【特許請求の範囲】
【請求項１】
湿式剃毛カートリッジ（１０）の製造方法であって、
ガード（５０）の一対の横端部分から中線（５４）の方向に向かって前記湿式剃毛カートリッジ（１０）の外方に突出するように弓形に曲がる上面（５１）を有するガード（５０）、を有するハウジング（２０）を提供する工程と、
少なくとも１枚の刃（３０）を前記ハウジングに装着する工程と、
クリップにより、前記刃の一対の横端（４５、４６）に対して前記湿式剃毛カートリッジ（１０）の内方への力を及ぼすことにより、前記ハウジングの一部分に沿って前記刃を曲げる工程と、
前記刃を前記ハウジングに固定する工程と、を含む、方法。
【請求項２】
前記ハウジングの前記一部分は、前記一対の横端部分の間に位置する中央台（９０）を有している、請求項１に記載の方法。
【請求項３】
前記ハウジングの一対の横端台（８０ａ、８０ｂ）から離れる方向に、かつ前記中央台に対して、前記刃を付勢する工程を更に含む、請求項２に記載の方法。
【請求項４】
前記中央台は、前記横端台に正接する平面（Ｐ１）より上に位置付けられる上面（９１）を有する、請求項３に記載の方法。
【請求項５】
前記中央台の上面は、０．０５ｍｍ〜０．２５ｍｍの垂直距離によって、前記横端台に正接する平面より上に位置づけられる、請求項４に記載の方法。
【請求項６】
前記中央台の上面は、０．１ｍｍ〜０．２５ｍｍの垂直距離によって、前記横端台に正接する平面より上に位置づけられる、請求項４に記載の方法。
【請求項７】
前記刃の後側にキャップ（５５）を提供する工程を更に含み、
前記キャップは、当該キャップの一対の横端から当該キャップの中線（５９）の方向に向かって前記湿式剃毛カートリッジ（１０）の外方に突出するように弓形に曲がった上面（５６）を有する、請求項１〜６のいずれか一項に記載の方法。
【請求項８】
前記ハウジングに前記刃を固定する工程は、前記刃の上にクリップ（６０）を装着すること、及び前記ハウジングに前記クリップを固定することを含む、請求項１〜７のいずれか一項に記載の方法。
【請求項９】
前記刃は、前記クリップに対して付勢されている、請求項８に記載の方法。
【請求項１０】
湿式剃毛カートリッジ（１０）の製造方法であって、
ガード（５０）の一対の横端部分から中線（５４）の方向に向かって前記湿式剃毛カートリッジ（１０）の外方に突出するように弓形に曲がる上面（５１）を有するガード（５０）、を有するハウジング（２０）を提供する工程と、
少なくとも１枚の刃（３０）を前記ハウジングに装着する工程と、
クリップにより、前記刃の一対の横端（４５、４６）に対して前記湿式剃毛カートリッジ（１０）の内方への力を及ぼすことにより、前記ハウジングの一部分に沿って前記刃を曲げるとともに、前記刃を前記ハウジングに固定する工程と、を含む、方法。
【請求項１１】
湿式剃毛かみそりカートリッジであって、
キャップ（５５）と、
前記キャップの前側のガード（５０）であって、当該ガードの一対の横端（５２、５３）から当該ガードの中線（５４）の方向に向かって前記湿式剃毛かみそりカートリッジの外方に突出するように弓形に曲がった上面（５１）を有する、というガード（５０）と、
前記ガードと前記キャップとの間にある刃（３０）であって、当該刃の一対の横端（４５、４６）から当該刃の中線（４８）の方向に向かって前記湿式剃毛かみそりカートリッジの外方に突出するように弓形に曲がっている細長い刃先（３５）を有する、という刃（３０）と、
前記ガードと前記キャップとの間の弓形に曲がった台を有するハウジング（２０）であって、前記台は一対の横端台（８０ａ、８０ｂ）から中央台（９０）の方向に向かって前記湿式剃毛かみそりカートリッジの外方に突出するように弓形に曲がっており、前記中央台の上面（９１）は、前記一対の横端台に正接する平面（Ｐ１）より上に位置づけられている、というハウジング（２０）と、を備え、
前記刃は、前記中央台の前記上面と接触するとともに、前記横端台から離間している、湿式剃毛かみそりカートリッジ。
【請求項１２】
前記中央台と前記横端台とが離間配置されている、請求項１１に記載の湿式剃毛かみそりカートリッジ。
【請求項１３】
前記中央台の上面は、０．０５ｍｍ〜０．２５ｍｍの垂直距離によって、前記一対の横端台に正接する平面より上に位置づけられている、請求項１１に記載の湿式剃毛かみそりカートリッジ。
【請求項１４】
前記キャップは、当該キャップの一対の横端部分（５７、５８）から当該キャップの中線（５９）の方向に向かって前記湿式剃毛かみそりカートリッジの外方に突出するように弓形に曲がった上面（６１）を有する、請求項１１に記載の湿式剃毛かみそりカートリッジ。
【請求項１５】
前記刃の中線（４８）において、前記細長い刃先は、０．０２５ｍｍ〜０．２５ｍｍの垂直距離によって、前記横端台の少なくとも１つから離間配置されている、請求項１１に記載の湿式剃毛かみそりカートリッジ。
【発明の詳細な説明】
【技術分野】
【０００１】
本発明は、剃毛かみそりカートリッジに関するものであり、より具体的には、カートリッジハウジングに固定された１つ以上の刃を有する湿式剃毛カートリッジ、及びその製造方法に関する。
【背景技術】
【０００２】
一般に、湿式ひげ剃りタイプの剃毛かみそりは、カートリッジが取り付けられているハンドルによって、剃毛されている皮膚の表面全体にわたって移動する細長い切れ刃を伴う少なくとも１枚の刃を有するカートリッジ又は刃ユニットを含む。カートリッジは、刃が充分に鋭利でなくなったときにカートリッジを新しいものに交換することができるようにハンドルに着脱可能に装着されていてもよく、又は、刃が鈍くなったときかみそり全体を廃棄するように（すなわち使い捨てかみそりとして）、ハンドルに恒久的に付着されていてもよい。カートリッジとハンドルとの接続は、ハンドルに対するカートリッジの旋回装着をもたらし、その結果、カートリッジの角度は、剃られている表面の形状に追従するように調整される。
【０００３】
かみそりのカートリッジは、通常、刃の正面にある皮膚と接触するガードと、剃毛中に刃の背後にある皮膚と接触するキャップとを含む。キャップ及びガードは、剃毛中の皮膚に対する刃の配向及び位置を決定するパラメータであるいわゆる「剃毛ジオメトリ」の確立を助け、このパラメータは、かみそりの剃毛性能及び有効性に強く影響する。キャップとガードは、刃の露出を設定することを助けることができる。露出は、切れ刃の前にある皮膚接触要素（例えば刃）から、切れ刃の後にある皮膚接触要素（例えばキャップ）までで描かれる接線に対する刃の切れ刃の位置として定義することができる。その接線より上に位置する切れ刃は、正の露出を有することになり、この線より下に位置する切れ刃は、負の露出を有することになる。この接線上にある切れ刃は、中立の露出を有する。剃毛性能に有意に影響する別の剃毛パラメータは、スパンとして知られている。スパンは、切れ刃から、切れ刃のすぐ前にある皮膚接触要素（別の刃又はガード）までの距離として定義することができる。剃毛性能に影響し得る別のパラメータは、刃の角度である。刃の角度は、（上記の）接線に対する切れ刃の角度である。
【０００４】
長年にわたり、Ｔｈｅ  Ｇｉｌｌｅｔｔｅ  Ｃｏｍｐａｎｙによる３枚刃のＭａｃｈ  ３のようなかみそりなど、様々な数の刃を有する剃毛かみそりが特許文献で提案され、商品化されてきた。Ｍａｃｈ  ３かみそりの刃は、クリップを使ってカートリッジハウジングに固定される。クリップは、刃の上及びハウジングの周辺に延在する。Ｍａｃｈ  ３かみそりに使用されるようなクリップは、典型的には、ばね付勢されている刃を保持するために使用される。例えば米国特許第４，３７８，６３４号に示されているように、刃は、剃毛中、弾力的なアームに対してカートリッジハウジング内のスロット内で上下に移動することができる。ハウジング上の金属クリップは、刃をスロット内に保持し、静止位置での刃の切れ刃の位置を決定する。製造中、最初に刃がハウジング内に入れられ、次に、Ｕ形のクリップがハウジングと刃の上に配置され、クリップの脚部がハウジングの底の周囲に曲げられる。ハウジングにクリップが固定された後、弾力的なアームが刃をクリップに対して付勢する。弾力的なアームは、屈曲して刃を支持するために十分に強く十分な応力弛緩抵抗力を有するプラスチックで成形する必要がある。したがって、例えば耐衝撃性ポリスチレンポリスチレン（ＨＩＰＳ）のような、より低価格で低性能のプラスチックは通常使用されない。
【０００５】
ばね装着式の刃に関してはクリップが非常によく機能することは実証済みであるが、固定刃の固定に関しては、製造許容差のために、クリップを用いて保持するのがより難しいことがわかっている。ばね装着式の刃の弾力的なアームは、許容度のばらつきを生じさせる。しかしながら、弾力的なアームが用いられないでカートリッジ内で刃とクリップの間の隙間が大きくなりすぎると、刃がハウジングに適切に固定されない場合がある。例えば、剃毛ストローク中に刃が移動又は振動して、切り傷の原因となる場合がある。刃とクリップの間で固定されている刃カートリッジに十分な隙間がないと、組み立て工程中に刃及び／又はハウジングを損傷する（例えば破砕する）場合があり、これもまた、剃毛性能に悪影響を及ぼし得る。
【先行技術文献】
【特許文献】
【０００６】
【特許文献１】米国特許第４，３７８，６３４号
【発明の概要】
【発明が解決しようとする課題】
【０００７】
したがって、例えば、剃毛性能にマイナスの影響を与えることなしに許容度のばらつきを生じさせる、１枚以上の固定装着された刃を有するような、湿式剃毛かみそりカートリッジが必要とされている。また、剃毛性能にマイナスの影響を及ぼさずに許容度のばらつきを生じさせる、固定装着された刃を組み立てるための製造方法も提供することが望ましい場合がある。湿式剃毛かみそりカートリッジアセンブリはより簡単な構造であり、費用効果が高く、信頼性があり、耐久性があり、製造するのがより容易及び／又はより速く、並びに更に精密に組み立てるのがより容易及び／又はより速くあることが好ましい。
【課題を解決するための手段】
【０００８】
一態様では、本発明は、広くは、キャップと、キャップの前のガードとを有する湿式剃毛かみそりカートリッジを特徴とし、ガードは、ガードの一対の横端から中線に向かって上方に弓形に曲がる上面を有する。ガードとキャップの間に刃が位置づけられている。刃は、刃の一対の横端から刃の中線に向かって上方に弓形に曲がる細長い刃先を有する。弓形に曲がる台がガードとキャップとの間にある。この台は、一対の横の台から中央台に向かって上方に弓形に曲がっている。中央台の上面は、一対の横端台に正接する平面より上に位置づけられている。
【０００９】
本発明の特定の態様は、連続した台を形成する中央台と横の台を所望により含むことができる。あるいは、中央台と横端台は離間配置されていてもよい。特定の態様は、キャップの一対の横端の部分からキャップの中点まで上方に弓形に曲がる上面を有するキャップもまた、所望により含むことができる。本発明の特定の態様は、約０．０２５ｍｍ〜約０．２５ｍｍの垂直距離によって、少なくとも１つの横端台から離間配置されている刃の細長い刃先を含むことができる。本発明の特定の態様のガードは、区分されている場合又は区分されていない場合がある。
【００１０】
別の態様では、本発明は、広くは、一対の横端部分からガードの中点に向かって上方に弓形に曲がる上面を有するガード、を有したハウジングを提供することにより、湿式剃毛カートリッジを製造する方法を特徴とする。少なくとも１枚の刃がハウジングに装着される。刃は、ハウジングの一部分の周りで曲がり、次いで、ハウジングに固定される。本発明の特定の態様は、中央台である部分の周りで刃を曲げることを所望により含むことができる。この方法は、ハウジングの一対の横端台から離れる方向に、かつ中央台に対して、刃を付勢することもまた所望により含むことができる。
【００１１】
本発明の１つ以上の実施形態の詳細を添付図面及び以下の説明に示す。本発明の他の特徴及び利点は、説明及び図面、並びに特許請求の範囲から明らかになる。
【図面の簡単な説明】
【００１２】
【図１】剃毛かみそりカートリッジの斜視図である。
【図２】図１の剃毛かみそりカートリッジの刃の斜視図である。
【図３】図１の剃毛かみそりカートリッジの分解斜視図である。
【図４】図１の剃毛かみそりカートリッジの概略図である。
【図５】図１の剃毛かみそりカートリッジのキャップの斜視図である。
【図６】図１の線６−６に概ね沿った、図１の剃毛かみそりカートリッジの断面図である。
【発明を実施するための形態】
【００１３】
図１を参照すると、剃毛カートリッジ１０（例えば、湿式剃毛かみそりカートリッジ）を例示した本開示の一実施形態が示されている。湿式剃毛かみそりカートリッジ１０は、剃毛かみそりのハンドル（図示せず）に装着することができる。剃毛カートリッジ１０は、枢動可能に（すなわち、剃毛かみそりハンドルに対する軸の周囲でのカートリッジ１０の回転）、及び／又は取り外し可能に、剃毛かみそりのハンドルと係合させることができる。剃毛カートリッジ１０は、少なくとも１枚の刃（例えば、第１の刃３０、第２の刃３２、及び第３の刃３４）を受容する寸法を有するハウジング２０を含むことができる。３枚の刃３０、３２、及び３４が示されているが、ハウジング２０は、剃毛かみそりカートリッジ１０の所望の性能及び費用に応じて、これよりも多い枚数又は少ない枚数の刃を有してよい。刃３０、３２、及び３４は、刃３０が剃毛ストローク中にハウジング２０に対して上下に浮動しないように、ハウジング２０の１つ以上の剛性の支持部の上に装着することができる（例えば、ばね付勢式の支持部には装着されない）。ハウジング２０は、刃３０、３２、及び３４の前側のガード５０及び刃３０、３２、及び３４の後側のキャップ５５を有することができる。ガード５０及びキャップ５５は、剃毛カートリッジ１０のための正しい剃毛表面形状（例えば刃の露出量）を確立するのを助けることができる。ハウジング２０は、通常の剃毛条件下で撓むことがないよう剛性であり得る。したがって、一貫した剃毛表面形状が提供され得る。特定の実施形態では、ガード５０は、（図１に示すように）連続していてもよく、あるいは、剃毛ストローク中の毛髪の整列を助けるように区分化されていてもよい（例えば、櫛形ガード）。
【００１４】
刃３０、３２、及び３４は、ハウジング２０に装着することができ、少なくとも１つのクリップ６０及び６２によって少なくとも一方向において固定することができる。例えば、クリップ６０及び６２を刃３０、３２、及び３４の上からハウジング２０の少なくとも一部分の周囲に曲げて、ハウジング２０内に刃３０、３２、及び３４を固定することができる。クリップ６０及び６２は、ハウジング２０内の刃３０を固定する２つの別個の構成要素として示されているが、クリップ６０及び６２は単一片として設計されてもよい。更に、ハウジング２０に対して刃３０、３２、及び３４を固定するためにハウジング２０の一部分の周りでクリップ６０及び６２を曲げる又は形成する必要のない場合がある。例えば、クリップ６０及び６２を刃３０、３２、及び３４の上に位置づけ、ハウジング２０に嵌めること、圧入すること、接着すること、又は超音波溶接することにより、クリップ６０及び６２をハウジング２０に固定してもよい。クリップ６０及び６２は、金属（例えば、アルミニウム又はステンレス鋼）、又はポリマー材料（例えばＮｏｒｙｌ（登録商標）（Ｇｅｎｅｒａｌ  Ｅｌｅｃｔｒｉｃ  Ｐｌａｓｔｉｃｓ、現在のＳＡＢＩＣ  Ｉｎｎｏｖａｔｉｖｅ  Ｐｌａｓｔｉｃｓａが開発したポリフェニレンオキサイド（ＰＰＯ）とポリスチレンのブレンド）、アクリロニトリルブタジエンスチレン（ＡＢＳ）、アセタール、ポリプロピレン、耐衝撃性ポリスチレン、又はこれらの任意の組み合わせ）を含むことができる。
【００１５】
特定の実施形態では、ハウジング２０は、ハウジング２０が通常の剃毛条件下で撓まないように十分に剛性であり得る。例えば、ハウジング２０は、Ｎｏｒｙｌ（商標）（Ｇｅｎｅｒａｌ  Ｅｌｅｃｔｒｉｃ  Ｐｌａｓｔｉｃｓ、現在のＳＡＢＩＣ  Ｉｎｎｏｖａｔｉｖｅ  Ｐｌａｓｔｉｃｓが開発したポリフェニレンオキサイド（ＰＰＯ）とポリスチレンのブレンド）で成形することができる。以下でより詳細に説明するように、ハウジング２０は、刃３０、３２、及び３４が弾力的なアームではなく１つ以上の剛性の刃支持体によって支持される場合は、より安価かつより低性能のポリマー材料で成形することができる。したがって、アクリロニトリルブタジエンスチレン（ＡＢＳ）、アセタール、ポリプロピレン、高衝撃性ポリスチレン、又はそれらの任意の組み合わせが含まれるがこれらに限定されない、約６０〜１４０のショアＡ硬度を有するその他の剛性のポリマーを使用してもよい。ガード５０は、ハウジング２０と同じ材料又はより柔らかい材料で成形することができる。例えば、ガード２０は、熱可塑性エラストマー（ＴＰＥ）又はゴムのような約２０〜約７０のショアＡ硬度を有する材料から成形することができる。特定の実施形態では、エラストマー部材７０は、ガード５０のすぐ前側でハウジング２０に成形することができる。エラストマー部材７０は、剃毛ストローク中に皮膚を延伸するのを助けることができる。エラストマー部材７０は、熱可塑性エラストマー（ＴＰＥ）又はゴムのような約２０〜約７０のショアＡ硬度を有する材料から成形することができる。キャップ５５は、ハウジング２０と同じ材料で成形することができる。特定の実施形態では、キャップ５５は、剃毛中の皮膚の表面に潤滑性を提供するのを助けるシェービング剤を含有する細長い片を含むことができる。
【００１６】
図２を参照すると、刃３０の斜視図が示されている。刃３０は刃３２及び３４の構造及び特徴を代表するものと理解されたい。特定の実施形態では、刃３０、３２、及び３４は、曲げ工程の前又は曲げ工程の後のいずれかに鋭利にされる材料の単片から一体形成することができる。大半のケースでは、この材料は、ステンレス鋼、アルミニウム、セラミックス、ガラス、プラスチック及びこれらの組み合わせからなる材料の群から選択される。特定の材料を屈曲させるものとして知られているいずれかの好適な手段を用いて、上記の材料を屈曲させてよい。刃３０は、一方の縦方向側部沿いにある細長いベース部分３６と、反対側の縦方向側部沿いにある、鋭利な細長い刃先３５に近づくほど細くなる先細部分３７と、細長い支持部分３６と先細部分３７とを相互接続する曲がった部分３８とを有し得る。先細部分３７は、上面４０を有し得る。細長い刃先３５は、（例えば毛髪を切断するための）比較的鋭利なポイントで終わることができ、ベース部分３６は、それぞれ対応する刃のスロット１００ａ、１００ｂ、１０２ａ、１０２ｂ及び１０４ａ、１０４ｂ内に受容される比較的先の丸い端領域で終わることができる。
【００１７】
ハウジング２０内の刃３０のアセンブリは、刃３０（例えば、刃３０の上面４０）に弓形の曲がりを付与し得る。例えば、細長い刃先３５は、刃の一対の横端４５及び４６から刃の中線４８に向かって上方に弓形に曲がることができる。「弓形」は、細長い刃先の部分がある平面に垂直のアーチ形を言い表すために使用される用語である。剃毛かみそりの刃は、典型的には、刃の弓形の曲がりを最小限にするように作られる（先細部分の長さにわたって＋０．０１〜−０．０５ミリメートル（約＋０．０００４〜約−０．００２インチ）以下）。刃部分及び／又はベース部分における弓形の曲がりの程度を低減することによって、使用者の使い心地及び／又は刃の切断性能が改善され得る。しかしながら、刃に弓形の曲がりを付与することは、ハウジング２０内における刃３０、３２、及び３４の保持を改善し得る。細長い刃先３５は、刃３０の一対の横端４５及び４６から刃３０の中線４８に向かって上方に傾斜し得る。したがって、細長い刃先３５は、中線４８では、刃３０の横端４５、４６を接続する直線Ｌ１より上に位置することができる。特定の実施形態では、細長い刃先３５の対向する横端４５と４６を接続する直線Ｌ１までの、細長い刃先３５の中線４８に沿った（例えば、刃先に対して概ね横）の垂直距離は、約０．０５ｍｍ、０．０７ｍｍ又は０．１０ｍｍ〜約０．１５ｍｍ、０．２０ｍｍ又は０．２５ｍｍである場合がある。
【００１８】
細長いベース部分３６は、約０．０７５ｍｍ、０．０８５ｍｍ、又は０．０９５ｍｍ〜約０．１０５ｍｍ、０．１１５ｍｍ、又は０．１２７ｍｍの厚さを有することができる。細長いベース部分３６の厚さは、曲がった部分３８の十分な内側曲げ半径Ｒ１を提供することができる。刃３０、３２、及び３４のこの厚さは、ハウジング２０内で固定中に刃が曲がること（すなわち弓形に曲がること）を促進することができる。細長いベース部分３６に対して、先細部分３７は約９０度、９５度、又は１００度〜約１０５度、約１１０度〜約１１５度の角度で延びることができる。先細部分３７の細長い刃先３５は、最終先端が約１０００オングストローム未満（例えば、約１００オングストローム、１５０オングストローム、又は２００オングストローム〜約５００オングストローム、７００オングストローム、又は９５０オングストローム）の半径を有する楔形の構成を有することができる。曲がった部分３８を有する開示の曲がった刃３０、３２、及び３４の利点は、より厚い曲がった刃支持体の上に装着される平面のかみそり刃の代替として、かみそりカートリッジに使用できることである。曲がった刃３０、３２、及び３４は、カートリッジ１０のすすぎをより容易にすることができる。
【００１９】
図３を参照すると、湿式剃毛かみそりカートリッジ１０の分解図が示されている。キャップ５５は、ハウジング２０が画定する凹部２２内に少なくとも部分的に固定され得る。エラストマー部材７０は、ガード５０の前側に、ハウジング２０と同時射出成形することができる。ハウジング２０は、刃３０、３２、及び３４を支持するためにガード５０とキャップ５５の間に位置づけられた１つ以上の台を備えることができる。例えば、ハウジング２０は、刃３０を支持するために第２の横端台８０ｂから離間配置されている第１の横端台８０ａを含むことができる。中央台９０は、それぞれの横端台８０ａと８０ｂの間に位置づけることができる。以下でより詳細に説明するように、中央台９０は、刃３０をハウジング２０に固定することを容易にすることができる。ハウジング２０は、所望の刃の数に依存して、追加の刃を支持するためにより多くの横端台を有することができる。例えば、刃３２及び３４を支持するために、２つの追加の対の横の台（８２ａと８２ｂ及び８４ａと８４ｂ）、並びに２つの追加の対応する中央台（９２及び９４）を提供することができる。特定の実施形態では、区分化されていない台を提供することができる（すなわち、一対の横端台から中央台に向かって上方に弓形に曲がる同一の台）。
【００２０】
ハウジング２０は、刃３０の少なくとも一部分を受容するために第１の一対の横刃スロット１００ａ及び１００ｂを画定し得る。第２の刃３２のために、追加の一対の横刃スロット１０２ａ及び１０２ｂを提供することができる。したがって、第３の刃３４は、一対の横刃スロット１０４ａ及び１０４ｂ内に位置づけることができる。ハウジング２０は、それぞれ対応する刃３０、３２、及び３４の少なくとも一部分を受容するための１つ以上の中央刃スロット１１０、１１２、１１４もまた画定することができる。組み立て中、刃３０（例えばベース部分３６）を、対応する横刃スロット１００ａ及び１００ｂ内並びに対応する中央刃スロット１１０内に位置づけることができる。追加の刃３２及び３４も同じようにハウジング２０内に配置することができる。１つ以上のクリップ６０及び６２を刃３０、３２、及び３４の上に位置づけることができる。組み立て中、クリップ６０及び６２は、刃３０、３２、及び３４の横端４５及び４６に対する下方への力を及ぼして、刃３０、３２、及び３４の曲げを引き起こすことができる。次いで、クリップ６０及び６２をハウジング２０に締結して、刃３０を、対応する対の横刃スロット１００ａ及び１００ｂ並びに中央刃スロット１１０内に固定することができる。特定の実施形態では、クリップ６０及び６２がハウジング２０に固定された後、刃３０、３２、及び３４がクリップ６０及び６２に対して付勢される場合がある。ハウジング２０は、クリップ６０の一対の脚部１３０ａ及び１３２ａを受容する寸法を有する第１の一対の開口部１２０ａ及び１２２ａを画定することができる。一対の脚部１３０ａ及び１３２ａは、開口部１２０ａ及び１２２ａを通過し、ハウジング２０の底の周囲で曲がって、刃３０、３２、及び３４を定位置に固定することができる。ハウジングは、もう一方のクリップ６２の一対の脚部１３０ｂ及び１３２ｂを受容する第２の一対の開口部１２０ｂ及び１２２ｂを画定することができる。同様に、一対の脚部１３０ｂ及び１３２ｂは、開口部１２０ｂ及び１２２ｂを通過し、ハウジング２０の底の周囲で曲がって、刃３０、３２、及び３４を定位置に固定することができる。特定の実施形態では、クリップ６０及び６２は、ブレード３０の正しい位置づけのために同時にハウジング２０に固定され得る。
【００２１】
図４を参照すると、剃毛かみそりカートリッジ１０の概略図に、横端の刃台８０ａ及び８０ｂ、中央台９０、刃３０、及びクリップ６０及び６２が図示されている。第１の横端台８０ａの上面８１ａ及び第２の横端台８０ｂの上面８１ｂは、刃３０を支持するために実質的に同じ平面（Ｐ１）上に位置づけることができる（図３を参照）。例えば、平面Ｐ１は、第１及び第２の横端台８０ａ及び８０ｂの上面８１ａ及び８１ｂに正接した平面であり得る。中央台９０は、第１及び第２の横端台８０ａ及び８０ｂの平面Ｐ１より上に位置する上面９１を有することができる。特定の実施形態では、上面９１は、約０．０５ｍｍ、０．１０ｍｍ、又は０．１５ｍｍ〜約０．２５ｍｍ、０．４ｍｍ、又は０．５ｍｍの垂直距離によって平面Ｐ１から離間配置され得る。平面Ｐ１からの上面９１の間隔（すなわち、中央支持体９０に対する横端支持体８０ａ及び８０ｂの高さ）は、刃３０をハウジング２０内の定位置に固定するために、クリップ６０及び６２に対する刃３０の付勢を一定して促進することができる。
【００２２】
刃３０、３２、及び３４をハウジング２０にクリップ６０及び６２で固定するプロセスは、刃３０、３２、及び３４（例えば刃３０の上面４０）に曲げを付与することができる。例えば、図４は、弓形に曲がった上面４０を有する刃３０を図示している。上面４０は、上面４０が刃３０の各横端４５及び４６から刃３０の中線４８に向かって上方に弓形に曲がるような概ね凸状の輪郭を有することができる。クリップ６０及び６２は、刃３０（例えば刃３０の端４５及び４６）に対する下方の力を及ぼすことができる。中央台９０の上面９１は横端台８０ａ及び８０ｂの上面８１ａ及び８１ｂより上に位置づけられているので、刃３０は、クリップ６０及び６２がハウジング２０に固定される際に中央台９０の周りで曲がる及び／又は形を作ることができる。したがって、刃３０は、最初に中央台９０の上面９１に接触することができる。次に、クリップ６０及び６２は、刃３０の横端４５及び４６を強制して一対の横端台８０ａ及び８０ｂと接触させることができ、したがって、中央台９０の周りで刃３０を曲げることができる。クリップ６０及び６２がハウジング２０にいったん締結されたら、刃３０はクリップ６０及び６２に対して跳ね戻って、刃３０を定位置に保持することができる。例えば、特定の実施形態では、刃３０と横端台８０ａ及び８０ｂの間に隙間がある場合があるが、刃３０は、刃３０がクリップ６０及び６２と接触するように中央台９０の上で曲がっていること及び上方に付勢されていることにより、定位置にしっかりと保持され得る。特定の実施形態では、刃３０は中央台９０の上面９１と接触することができるが、横の台８０ａ及び８０ｂ（例えば上面８１ａ及び８１ｂ）からは、約０．０２５ｍｍ、０．０５ｍｍ、又は０．０７５ｍｍ〜約０．１ｍｍ、０．１５ｍｍ、又は０．２５ｍｍの垂直距離によって離間配置される場合がある。したがって、刃３０は、組み立ての許容度に応じる、ばね部材として機能することができる。他の刃３２及び３４を同様のやり方でクリップ６０及び６２を用いてハウジング２０に固定することができると理解されたい。
【００２３】
刃３０、３２及び３４に弓形を付与することは、ハウジング２０内における刃３０、３２、及び３４の保持を改善することができる。しかしながら、弓形に曲がった細長い刃先３５は、その剃毛表面形状が刃３０の長さに沿って一貫していない（例えば、刃３０はそれらの長さに沿って一定の露出量を有さない）場合があるために、剃毛性能に悪影響を及ぼす場合がある。刃３０の弓形に曲がった細長い刃先３５は、刃の長さに沿って剃毛表面形状が一定ではない場合があるために、剃毛性能に悪影響を及ぼす場合がある。例えば、クリップ６０及び６２に向かう刃３０の細長い刃先３５は、刃３０の中線４８に向かう（例えば、中央の刃台９０にある）刃先３５と比べて、ガードからキャップまで延びる接線（すなわち剃毛平面）より更に下にある場合がある。この剃毛表面形状は、中央の刃台に向かう剃毛を緊密な剃毛にし得るが、刃３０の横端４５及び４６に向かう剃毛を緊密さに劣る剃毛にする場合がある。更に、この表面形状は、刃３０の横端４５及び４６に向かう剃毛を快適なものにし得るが、刃３０の中線４８に向かう剃毛を、より強引で快適さの劣るものにする場合がある。したがって、剃毛かみそりカートリッジの性能の微調整（例えば、快適さと緊密さのバランス調整）が非常に難しい場合がある。より大きく弓なりになった刃であっても、刃３０、３２、及び３４の長さに沿って一貫した剃毛表面形状を提供するようにガード５０及び／又はキャップ５５の構造を修正するように刃３０、３２、及び３４の弓形が補正されれば、高いレベルの快適さ及び性能をもたらすことができる。
【００２４】
特定の実施形態では、刃３０、３２、及び３４の弓形は、剃毛平面を確立するキャップ及び／又はガードの上面を弓形に曲げることにより補正され得る。図５を参照すると、第１及び第２の横端５７及び５８からキャップ５５の中線５９に向かって徐々に上方に延びるように弓形に曲がった（例えば凸状の）上面を有するキャップ５５が示されている。キャップ５５の上面６１は、キャップ５５の対向する横端５７と５８を接続する平面に垂直にアーチ状に曲がることができる。キャップ５５の上面６１は、キャップ５５の対向する横端５７と５８を接続する平面に横断方向の（例えば中線４８に沿った）第２方向にもまたアーチ状に曲がることができる。したがって、中線５９に沿ったキャップの上面は、キャップの横端を接続する直線より上に位置することができる。特定の実施形態では、キャップ５５の上面６１の中線５９から、キャップ５５の対向する横端を接続する直線までの垂直距離は、約０．０５ｍｍ、０．０７５、又は０．１０ｍｍ〜約０．１５ｍｍ、０．２０ｍｍ、又は０．２５ｍｍである場合がある。特定の実施形態では、キャップ５５の垂直距離は、刃３０の垂直距離と実質的に同じであり得る。
【００２５】
図６を参照すると、第１及び第２の横端５２及び５３からガード５０の中線５４に向かって徐々に上方に延びるように弓形に曲がった（例えば凸状の）上面５１を有するガード５０が示されている。ガード５０の上面５１は、ガード５０の対向する横端５２と５３を接続する平面に垂直にアーチ状に曲がることができる。ガード５０の上面５１は、キャップ５５の対向する横端５２と５３を接続する平面に横断方向である（例えば中線５４に沿った）第２方向にもまたアーチ状に曲がることができる。したがって、中線５４に沿ったガードの上面５１は、ガード５０の横端５２と５３を接続する直線より上に位置づけられ得る。特定の実施形態では、ガード５０の上面５１の中線５４から、ガード５０の対向する横端を接続する直線までの垂直距離は、約０．０５ｍｍ〜約０．２５ｍｍである場合がある。特定の実施形態では、ガード５０の垂直距離は、刃３０及び／又はキャップ５５の垂直距離と実質的に同じであり得る。ガード５０の弓形及び刃３０、３２、及び３４の弓形は、ガード５０の全長に沿って一定の（刃３０の細長い刃先３５に対する）ガードの高さをもたらすことができる。一定のガードの高さは、カートリッジの全長にわたってより一貫した剃毛（例えば緊密さ及び快適さ）をもたらすことができる。
【００２６】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【００２７】
任意の相互参照又は関連特許若しくは関連出願を包含する本明細書に引用される全ての文献は、明確に除外ないしは別の方法で限定されない限り、その全てが本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００２８】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
0005964512.tif 000002
【図２】
0005964512.tif 000003
【図３】
0005964512.tif 000004
【図４】
0005964512.tif 000005
【図５】
0005964512.tif 000006
【図６】
0005964512.tif 000007